【手続補正書】
【提出日】令和2年12月3日(2020.12.3)
【手続補正１】
【補正対象書類名】特許請求の範囲
【補正対象項目名】全文
【補正方法】変更
【補正の内容】
【特許請求の範囲】
【請求項１】
除細動器ユニットであって、
患者に除細動ショックを供給するために十分なエネルギを蓄積して放電するように構成されているキャパシタユニットと、
前記除細動ショックの供給に適した電圧まで前記キャパシタユニットを充電するために、受け入れた電流の電圧を昇圧するように構成されている電圧昇圧回路であって、充電中に、前記電圧昇圧回路は、定期的な電流引き込み間隔中に電流を周期的に引き込み、間の電流遮断間隔中には電流を引き込まない、電圧昇圧回路と、
前記キャパシタユニットの前記充電にわたって前記電圧昇圧回路のために電源からの連続的な電流引き込みを維持するように構成されている電流調整回路であって、前記電流調整回路は、前記電圧昇圧回路の電流遮断間隔中には、電源から引き込まれた電気エネルギのための一次的蓄積部として機能し、前記定期的な電流引き込み間隔の少なくとも一部の間には、前記電圧昇圧回路への補助電流の供給部として機能する一次的電気エネルギ蓄積部を備える、電流調整回路と、
を備える、除細動器ユニット。
【請求項２】
除細動器ユニットであって、
患者に除細動ショックを供給するために十分なエネルギを蓄積して放電するように構成されているキャパシタユニットと、
前記除細動ショックの供給に適した電圧まで前記キャパシタユニットを充電するために、受け入れた電流の電圧を昇圧するように構成されている電圧昇圧回路であって、一次コイルを有する変圧器を備える、電圧昇圧回路と、
前記キャパシタユニットの前記充電にわたって前記電圧昇圧回路のために電源からの電流引き込みを調整するように構成されている電流調整回路であって、前記電流調整回路は、前記一次コイルを通る最大電流が前記キャパシタユニットの充電中にプログラム的に設定され得るように構成されている、電流調整回路と、
を備える、除細動器ユニット。
【請求項３】
除細動器ユニットであって、
患者に除細動ショックを供給するために十分なエネルギを蓄積して放電するように構成されているキャパシタユニットと、
前記除細動ショックの供給に適した電圧まで前記キャパシタユニットを充電するために、受け入れた電流の電圧を昇圧するように構成されている電圧昇圧回路と、
前記キャパシタユニットの前記充電にわたって前記電圧昇圧回路のために電源からの電流引き込みを調整するように構成されている電流調整回路と、
除細動器コントローラと、を備え、
前記電流調整回路、および、前記電圧昇圧回路の内の少なくとも１つが、前記電源から引き込まれる電流のレベルを制御するために、前記除細動器コントローラによってプログラム可能である、除細動器ユニット。
【請求項４】
請求項１から３のいずれか一項に記載の除細動器ユニットであって、前記電圧昇圧回路は、フライバックコンバータを備える、除細動器ユニット。
【請求項５】
請求項１または２に記載の除細動器ユニットであって、さらに、除細動器コントローラを備え、前記電圧昇圧回路は、一次コイルを有する変圧器を備えるフライバックコンバータを備え、前記フライバックコンバータは、指定された電源電流引き込みに近いがそれを超えないレベルに前記電源からの前記電流引き込みを維持する支援のために、前記一次コイルを通る最大電流が前記キャパシタユニットの充電中に前記除細動器コントローラによって設定および再設定されうるように構成され、前記一次コイルを通る前記最大電流は、前記指定された電源電流引き込みより大きい、除細動器ユニット。
【請求項６】
請求項１から５のいずれか一項に記載の除細動器ユニットであって、前記電流調整回路は、さらに、
前記電源から引き込まれた前記電流を検知するための電流センサと、
検知された入力電流を前記電流センサから受信して、前記電源から引き込まれる前記電流を指定範囲内に維持するように前記電圧昇圧回路または前記フライバックコンバータの入力スイッチをオン／オフするコントローラと、
を備える、除細動器ユニット。
【請求項７】
請求項６に記載の除細動器ユニットであって、前記コントローラは、前記指定範囲を規定するようにプログラム可能である、除細動器ユニット。
【請求項８】
請求項１に記載の除細動器ユニットであって、前記一次的電気エネルギ蓄積部は、前記キャパシタユニットの充電中に変更され得る可変電気特性を有する、除細動器ユニット。
【請求項９】
請求項８に記載の除細動器ユニットであって、前記一次的電気エネルギ蓄積部の前記可変電気特性は、可変静電容量、可変インダクタンス、ならびに、可変静電容量および可変インダクタンスの両方、からなる群より選択される、除細動器ユニット。
【請求項１０】
請求項９に記載の除細動器ユニットであって、前記一次的電気エネルギ蓄積部の前記可変電気特性は、前記キャパシタユニットの現在の電圧に少なくとも部分的に基づいて、除細動器コントローラによって設定される、除細動器ユニット。
【請求項１１】
請求項１および請求項８から１０のいずれか一項に記載の除細動器ユニットであって、前記一次的電気エネルギ蓄積部は、
少なくとも１つのインダクタ、もしくは、
少なくとも１つのキャパシタおよび少なくとも１つのインダクタ、を備える、除細動器ユニット。
【請求項１２】
請求項１から１１のいずれか一項に記載の除細動器ユニットであって、前記電圧昇圧回路は、約５ボルト以下の入力電圧と、出力とを有し、前記除細動ショックの供給に適した電圧まで前記キャパシタユニットを充電するように構成されている、除細動器ユニット。
【請求項１３】
請求項１から１２のいずれか一項に記載の除細動器ユニットであって、前記電源は、モバイル通信デバイスである、除細動器ユニット。
【請求項１４】
請求項３および請求項５から１２のいずれか一項に従属する請求項１３に記載の除細動器ユニットであって、前記除細動器コントローラは、前記モバイル通信デバイスと通信し、前記除細動器ユニットが取り付けられた前記モバイル通信デバイスの電流供給能力に少なくとも部分的に基づいて、前記通信デバイスから引き込まれる電流のレベルを制御するように構成されている、除細動器ユニット。
【請求項１５】
請求項１４に記載の除細動器ユニットであって、前記除細動器コントローラは、前記モバイル通信デバイスから最大引き込み電流パラメータを受信し、前記受信した最大引き込み電流パラメータに少なくとも部分的に基づいて、前記電流調整回路の最大入力引き込み電流をプログラムするように構成されている、除細動器ユニット。
【請求項１６】
請求項１３から１５のいずれか一項に記載の除細動器ユニットであって、さらに、除細動器ハウジングを備え、前記除細動器ハウジングは、前記モバイル通信デバイスと、前記キャパシタユニットと、前記電圧昇圧回路と、前記電流調整回路とを、一体的なパッケージに保持する、除細動器ユニット。
【請求項１７】
請求項１３から１５のいずれか一項に記載の除細動器ユニットであって、前記モバイル通信デバイスは、前記モバイル通信デバイスの通常利用中には、態様を問わず、前記除細動器ユニットの一部ではなく、一体化もされず、接続もされない、除細動器ユニット。
【請求項１８】
請求項１から１７のいずれか一項に記載の除細動器ユニットであって、前記除細動器ユニットは、２以上の電源から電流を引き込んで、前記電圧昇圧回路に供給するように構成され、前記電源の内の第１電源は、前記除細動器ユニットの外部のデバイスであり、前記電源の内の第２電源は、前記除細動器ユニットの構成要素である、除細動器ユニット。
【請求項１９】
除細動器放電キャパシタを充電する方法であって、
充電中に、定期的な電流引き込み間隔中に周期的に電流を引き込み、間の電流遮断間隔中に電流を引き込まない電圧昇圧回路を用いて、前記除細動器放電キャパシタを充電し、
前記電圧昇圧回路の電流遮断間隔中には、電源から引き込まれた電気エネルギのための一次的蓄積部として機能し、前記定期的な電流引き込み間隔の少なくとも一部の間には、前記電圧昇圧回路への補助電流の供給部として機能する一次的電気エネルギ蓄積部を用いて、前記電圧昇圧回路のために電源からの連続的な電流引き込みを維持すること、
を備える、方法。
【請求項２０】
除細動器放電キャパシタを充電する方法であって、
定期的な電流引き込み間隔中に電流を引き込み、間の電流遮断間隔中に電流を引き込まない電圧昇圧回路を用いて、前記除細動器放電キャパシタを充電し、前記電圧昇圧回路は、一次コイルを有する変圧器を備え、
前記電源の電流供給能力に少なくとも部分的に基づいて、充電時に前記一次コイルを通る最大電流を設定することを備える、方法。
【請求項２１】
請求項１９または２０に記載の方法であって、前記一次的電気エネルギ蓄積部は、前記キャパシタユニットの充電中に変更されうる可変電気特性を有し、前記一次的電気エネルギ蓄積部の前記可変電気特性は、（ａ）可変静電容量、（ｂ）可変インダクタンス、ならびに、（ｃ）可変静電容量および可変インダクタンスの両方、からなる群より選択され、前記方法は、さらに、前記除細動器放電キャパシタのその時点の電圧または充電レベルに少なくとも部分的に基づいて、前記除細動器放電キャパシタの前記充電中に前記可変電気特性を再設定することを備える、方法。
【請求項２２】
請求項１９から２１のいずれか一項に記載の方法であって、前記除細動器は、さらに、前記電源から引き込まれた前記電流を検知するための電流センサを備え、前記方法は、さらに、
前記電源から引き込まれる前記電流を指定範囲内に維持するように前記電圧昇圧回路の入力スイッチをオン／オフすることを備える、方法。
【請求項２３】
請求項１９から２２のいずれか一項に記載の方法であって、前記除細動器は、除細動器コントローラと、前記電圧昇圧回路を備えた充電回路とを備え、前記方法は、さらに、前記キャパシタユニットの前記充電にわたって前記電源から引き込まれる前記電流を指定範囲内に維持するように、前記除細動器コントローラを用いて、前記充電回路の構成要素を設定またはアクティブ制御することを備える、方法。
【請求項２４】
請求項２３に記載の方法であって、さらに、前記電源からの前記電流引き込みを前記指定範囲内に維持する支援となるように、充電サイクル中に前記充電回路の電気特性を変更することを備える、方法。
【請求項２５】
請求項２０に記載の方法であって、さらに、前記除細動器放電キャパシタのその時点の電圧または充電レベルに少なくとも部分的に基づいて、前記除細動器放電キャパシタの前記充電中に前記一次コイルを通る前記最大電流を変更することを備える、方法。
【請求項２６】
モバイル通信デバイスを電源として用いて除細動器の除細動器放電キャパシタを充電する方法であって、前記除細動器は、さらに、除細動器コントローラと、電圧昇圧回路と、前記モバイル通信デバイスから前記電圧昇圧回路に供給される電流を調整する電流調整回路とを備え、前記方法は、
前記モバイル通信デバイスの電流供給能力を決定し、
前記モバイル通信デバイスの前記決定された電流供給能力に少なくとも部分的に基づいて、前記電流調整回路の最大入力引き込み電流を設定し、
前記電流調整回路の前記最大引き込み電流を超えることなしに、前記除細動器放電キャパシタを充電することを備える、方法。